(57)【要約】【課題】殺虫剤を使用しない物理的防除であって、ドクガ類の幼虫を的確かつ安全に防除できるエアゾール剤及びこれを用いたドクガ類の防除方法の提供。【課題の解決手段】樹脂組成物、溶剤、及び噴射剤を含有し、植物体の葉面に対して霧状に噴射されるエアゾール剤であって、前記葉面上で速やかに形成される固着物又は粘着物がドクガ類の幼虫を捕獲し、しかも前記固着物又は粘着物は前記葉面上で密着性を保持するものであるドクガ類防除用エアゾール剤。噴射特性は、噴射距離３０ｃｍにおける噴射パターンが５〜２０ｃｍの円状であることが好ましい。【選択図】なし【特許請求の範囲】
【請求項１】
樹脂組成物、溶剤、及び噴射剤を含有し、植物体の葉面に対して霧状に噴射されるエアゾール剤であって、前記葉面上で速やかに形成される固着物又は粘着物がドクガ類の幼虫を捕獲し、しかも前記固着物又は粘着物は前記葉面上で密着性を保持するものであることを特徴とするドクガ類防除用エアゾール剤。
【請求項２】
更に界面活性剤又は増粘剤を含有することを特徴とする請求項１に記載のドクガ類防除用エアゾール剤。
【請求項３】
噴射距離３０ｃｍにおける噴射パターンが５〜２０ｃｍの円状であることを特徴とする請求項１又は２に記載のドクガ類防除用エアゾール剤。
【請求項４】
樹脂組成物、溶剤、及び噴射剤を含有するエアゾール剤を植物体の葉面に対して霧状に噴射し、前記葉面上で速やかに固着物又は粘着物を形成させてドクガ類の幼虫を捕獲せしめ、この捕獲虫を密着させた状態で当該葉面を切除することを特徴とするドクガ類の防除方法。
【請求項５】
エアゾール剤が更に界面活性剤又は増粘剤を含有することを特徴とする請求項４に記載のドクガ類の防除方法。
【発明の詳細な説明】
【技術分野】
【０００１】
本発明は、ドクガ類防除用エアゾール剤及びこれを用いたドクガ類の防除方法に関するものである。
【背景技術】
【０００２】
ドクガ類（本明細書では、ドクガ科、イラガ科、カレハガ科、マダラガ科等に属し、毒針毛を有して人に危害を加えるガ類を総称して「ドクガ類」という）の幼虫は、５〜１０月頃にかけて、ツバキ、リンゴ、モモ、ウメ、オウトウ、カキ、クリ、チャ、ツツジ、サクラなどの木の葉に群生し、その毒針毛で刺されると痛みや痒み、発疹などを引き起こす。これまで、これらの幼虫を駆除するために、殺虫剤を含む園芸用エアゾール剤を葉面に噴射することが行われてきたが、幼虫が糸を垂れて降下し、この死亡虫の毒針毛によって刺されたり衣服に付着して危害を被る危険性が避けられなかった。このため、的確な防除方法の確立が急務となっている。
【０００３】
ところで、従来より、虫類の捕獲用組成物及び虫類の捕獲方法として様々な提案がなされている。例えば、特公昭６２−３８２１号公報には、非粘着性樹脂を含む発泡組成物を虫類に対して噴射し、この樹脂によって虫類を封じ込めて捕獲する組成物が開示されている。また、特開２００３−２４５０３４号には、虫類を覆うことによって虫類を捕獲することができるとともに、他所に付着した捕獲用組成物を剥がすことができるものであり、噴射距離が少なくとも１．０ｍで、バルブのコア穴の総開口面積を０．５６ｍｍ2以上とし、２５℃におけるエアゾール容器の内圧を０．３ＭＰａ以上０．８ＭＰａ未満とした虫類の捕獲用エアゾール製品が記載されている。
これらの虫類の捕獲用組成物あるいはエアゾール製品は、殺虫剤を使用せずに虫類を捕獲できるため、例えば台所等でゴキブリ捕獲用に使用した場合、殺虫剤が食物や食器等を汚染する心配がないという利点を有する。しかしながら、床面や壁等、他所に付着した残留物が汚損を残さないように、虫類に付着後の樹脂組成物は非粘着性となり容易に剥がすことができるものでなければならない。また、動きが俊敏で比較的噴射距離の長いゴキブリ等を対象とするため、エアゾール製品の噴射特性は通常棒状に設計する必要があった。かかる製品特性から、従来の虫類の捕獲用組成物あるいはエアゾール製品は、ドクガ類の防除に適したものではなかった。
【特許文献１】特公昭６２−３８２１号公報
【特許文献２】特開２００３−２４５０３４号
【発明の開示】
【発明が解決しようとする課題】
【０００４】
本発明は、殺虫剤を使用しない物理的防除であって、ドクガ類の幼虫を的確かつ安全に防除できるエアゾール剤及びこれを用いたドクガ類の防除方法を提供することを目的とする。
【課題を解決するための手段】
【０００５】
上記課題を解決するため、本発明は以下の構成を採用する。
（１）樹脂組成物、溶剤、及び噴射剤を含有し、植物体の葉面に対して霧状に噴射されるエアゾール剤であって、前記葉面上で速やかに形成される固着物又は粘着物がドクガ類の幼虫を捕獲し、しかも前記固着物又は粘着物は前記葉面上で密着性を保持するものであるドクガ類防除用エアゾール剤。
（２）更に界面活性剤又は増粘剤を含有する（１）に記載のドクガ類防除用エアゾール剤。
（３）噴射距離３０ｃｍにおける噴射パターンが５〜２０ｃｍの円状である（１）又は（２）に記載のドクガ類防除用エアゾール剤。
（４）樹脂組成物、溶剤、及び噴射剤を含有するエアゾール剤を植物体の葉面に対して霧状に噴射し、前記葉面上で速やかに固着物又は粘着物を形成させてドクガ類の幼虫を捕獲せしめ、この捕獲虫を密着させた状態で当該葉面を切除することを特徴とするドクガ類の防除方法。
（５）エアゾール剤が更に界面活性剤又は増粘剤を含有する（４）に記載のドクガ類の防除方法。
【発明の効果】
【０００６】
本発明のドクガ類防除用エアゾール剤は、葉面上で速やかに固着物又は粘着物を形成させてドクガ類の幼虫を捕獲し、しかも葉面上で密着性を保持するので、殺虫剤を用いずにドクガ類の幼虫を的確かつ安全に防除することが可能となり、極めて実用的なドクガ類の防除方法を提供する。
【発明を実施するための最良の形態】
【０００７】
本発明のドクガ類防除用エアゾール剤は、樹脂組成物、溶剤、及び噴射剤を含有する。
樹脂組成物としては、ポリアルキルメタアクリレート、ポリスチレン、ポリイソブチレン、酢酸ビニル、ポリビニルブチラール、エチレン酢酸ビニル共重合体等を具体例としてあげることができるが、この他にも、樹脂組成物それ自体が溶剤もしくは噴射剤に溶解するものであれば使用可能であり、必要に応じて、ポリブテン、合成ゴムのような粘着剤が添加されてもよい。すなわち、本発明で用いる樹脂組成物は、溶剤及び／又は噴射剤に溶解しているが、植物体の葉面上に噴射されると速やかに固着物又は粘着物を形成し、その後葉面上で密着性を保持するものである。
なかでも、ポリアルキルメタアクリレート、ポリスチレン系樹脂組成物が好ましく、エアゾール剤全体量に対して５〜４０重量％程度配合すればよい。
【０００８】
本発明で用いられる溶剤は、樹脂組成物を溶解し、葉面上に噴射される際に速やかに揮散するものが適当であるが、一方、樹脂組成物の葉面上における密着性を高める必要がある場合には、揮散性の低いものが用いられる。例えば、ｎ−ペンタン、イソペンタン、ｎ−ヘキサン、イソヘキサン、ｎ−パラフィン、イソパラフィン、流動イソパラフィン等の炭化水素、エタノール、イソプロパノール等のアルコール類、グリコールエーテル類、ケトン類、エステル類等があげられ、ドクガ類の幼虫がついた葉面以外の植物体に影響を及ぼさない範囲での使用が好ましい。
【０００９】
噴射剤としては、液化石油ガス（ＬＰＧ）、ジメチルエーテル、代替フロン類、圧縮ガス（窒素ガスや炭酸ガス等）等を使用できるが、ジメチルエーテルは樹脂組成物の溶解剤としても有用である。通常、噴射剤はエアゾール剤全体量に対して４０〜８０重量％程度充填され、２５℃における製品圧力が０．２〜０．５ＭＰａ程度になるように調整される。
【００１０】
本発明では上述の成分に加え、液性を調整するたために界面活性剤又は増粘剤を配合するのが好ましい。例えば、界面活性剤を配合することによって発泡性が付与され、かかる発泡噴射は、処理部位を明瞭に視認できるうえドクガ類の幼虫を動きにくくし、葉面を切除する際も嫌悪感を少なくできるというメリットを有する。なお、発泡状態で吐出するのでなければ界面活性剤の配合は必ずしも必要でない。
界面活性剤としては、非イオン、アニオン、カチオン、両性界面活性剤等いずれでもよく、界面活性剤の種類は特に限定されない。非イオン界面活性剤の具体例としては、モノステアリン酸グリセリン、モノステアリン酸エチレングリコール、モノステアリン酸プロピレングリコール、ソルビタンモノオレエート、ヤシ油脂肪酸モノエタノールアミド等をあげることができる。また、アニオン系界面活性剤としては、ラウリン酸亜鉛、ラウリル硫酸ナトリウム等を、カチオン系界面活性剤としては、塩化ステアリルトリメチルアンモニウム、塩化ラウリルトリメチルアンモニウム等を例示できる。両性界面活性剤としては、β−ラウリルアミノプロピオン酸ナトリウム、ラウリルジメチルアミノ酢酸ベタイン等があげられる。
界面活性剤の配合量は、エアゾール剤全体量に対して０〜２０重量％程度が適当であり、希望する発泡状態を考慮して適宜決定すればよい。
【００１１】
また、本発明のドクガ類防除用エアゾール剤は、樹脂組成物の葉面上における密着性を高めるために増粘剤の配合が好ましい。
増粘剤としては、シリカ、有機ベントナイト、ヒドロキシプロピルセルロース等があげられ、その配合量はエアゾール剤全体量に対して０〜１０重量％程度が適当である。
【００１２】
本発明のドクガ類防除用エアゾール剤には、更に必要に応じてシリコーンオイル等の成分、消臭剤や防臭剤、香料等を加えてもよく、また本発明の目的に支障を来たさない限りにおいて、マイクロカプセル化されてもよい若干の殺虫剤、殺ダニ剤、殺菌剤等を配合することができる。
【００１３】
本発明は、植物体の葉面に対する上記エアゾール剤の噴射特性を、霧状、好ましくは、噴射距離３０ｃｍにおける噴射パターンが５〜２０ｃｍの円状となるように設計したことに特徴を有する。すなわち、比較的噴射距離が長く噴射特性が棒状の従来のゴキブリ捕獲用エアゾールをドクガ類の防除に適用した場合、葉面上の幼虫にうまく命中できなかったり、吹き飛ばしてしまう恐れがあり、更に葉面上で形成された固着物又は粘着物が特に周辺部で剥がれやすくなる傾向も見られた。次に、エアゾール容器の仕様としては、基本的に従来品をそのまま使用することができ、上記噴射特性を満足するように、バルブ、ボタン（噴口）等を適宜選定すればよい。
【００１４】
こうして得られた本発明のエアゾール剤は、ドクガ科、イラガ科、カレハガ科、マダラガ科等に属する「ドクガ」類、例えば、ドクガ、チャドクガ、イラガ、マツカレハ、ヤマダカレハ等の幼虫がついた葉面に対して２０〜５０ｃｍ程度の距離から霧状に噴射し、葉面上で速やかに固着物又は粘着物を形成させて幼虫を捕獲する。この固着物又は粘着物は葉面上で密着性を保持するので、捕獲虫を被包した状態のまま葉面を切除することができ、従って本発明は、毒針毛に触れる恐れなく、的確かつ安全なドクガ類の防除方法を提供するものである。
【００１５】
つぎに具体的実施例に基づいて、本発明を更に詳細に説明する。
【実施例１】
【００１６】
ポリアルキルメタアクリレート系樹脂組成物１８．８重量％と、ソルビタンモノオレエート系界面活性剤４．８重量％と、イソパラフィン系溶剤４．２重量％と、シリコーンオイル２．２重量％を含有するエアゾール原液をエアゾール容器に入れた後、ＬＰＧ４９重量％とジメチルエーテル２１重量％からなる混合噴射ガスを充填した（組成はエアゾール剤全体量に対する重量比率で示した）。噴口の直径が０．８ｍｍのボタンを取り付け、噴射特性を霧状（噴射距離３０ｃｍにおける噴射パターンが約１０ｃｍの円状）に調整して、本発明のドクガ類防除用エアゾール剤を得た。
【００１７】
チャドクガの幼虫が多数群生したツバキの葉面に、約５０ｃｍの距離から前記ドクガ類防除用エアゾール剤を約２秒間（噴射量：約７ｇ）噴射したところ、葉面上で速やかに発泡状態となり固着物を形成して幼虫を完全に捕獲した。この固着物は密着性を保持し、捕獲虫を被包した状態で、毒針毛に触れる恐れなく安全に木の葉を切除できた。
【実施例２】
【００１８】
ポリアルキルメタアクリレート系樹脂組成物１７．５重量％と、イソプロピルアルコール１０．０重量％と、プロピレングリコールメチルエーテルアセテート１０．０重量％と、流動イソパラフィン系溶剤１１．２重量％と、増粘剤としてのシリカ１．３重量％を含有するエアゾール原液を用い、ＬＰＧ３５重量％とジメチルエーテル１５重量％からなる混合噴射ガスを充填した（組成はエアゾール剤全体量に対する重量比率で示した）。噴口の直径が０．５ｍｍのボタンを取り付け、噴射特性を霧状（噴射距離３０ｃｍにおける噴射パターンが約１０ｃｍの円状）に調整して、非発泡タイプの本発明のドクガ類防除用エアゾール剤を得た。
このドクガ類防除用エアゾール剤（非発泡タイプ）もまた、実施例１と同様、ドクガ類の幼虫を効率的に防除することができた。なお、このタイプは、噴射された葉面と無処理の葉面とを判別できにくかったので、染料を配合して視認性を改善した。
【実施例３】
【００１９】
実施例１に準じて各種のドクガ類防除用エアゾール剤を調製し、ツバキの葉面に多数群生したチャドクガの幼虫に対して噴射試験を行い、下記に示す各項目について評価した。なお、噴射特性は、噴射距離３０ｃｍにおける噴射パターンの略直径の長さで示した。
（１）使用性：ドクガ類の幼虫に対する命中確率等につき、○、△、×で評価した。
（２）捕獲率：噴射前に調査した幼虫数に対し、１日後に捕獲された状態の幼虫数を数え、捕獲率を求めた。
【００２０】
【表１】
2005333974.tif 000002
【００２１】
試験の結果、本発明のドクガ類防除用エアゾール剤は、使用性、捕獲率とも優れ、極めて実用性の高いことが認められた。なお、噴射特性としては、霧状で、噴射距離３０ｃｍにおける噴射パターンが５〜２０ｃｍの円状であるものが好ましく、２０ｃｍを超える噴射パターンの場合、形成される固着物又は粘着物が薄く拡がりすぎて捕獲率が低下する恐れがあった。
これに対し、従来のゴキブリ捕獲用エアゾール剤（噴射特性が棒状で噴射パターンが５ｃｍ未満のもの）は、使用性、捕獲率とも劣った。捕獲率が悪かったのは、葉面上の幼虫を吹き飛ばしてしまったり、葉面上で形成された固着物又は粘着物が特に周辺部で剥がれやすくなったためと考えられる。また、従来の園芸用の殺虫エアゾール剤を使用すると、幼虫が糸を垂れて降下し、この死亡虫の毒針毛によって刺されたり衣服に付着して危害を被る危険性が避けられず的確な防除方法とは言えなかった。
【産業上の利用可能性】
【００２２】
本発明のドクガ類防除用エアゾール剤は、殺虫剤を用いずにドクガ類の幼虫を的確かつ安全に防除できるので、ドクガ類以外の分野でも実用化が可能である。